(57)【要約】【課題】靴底上に配置することにより、歩行時などにおける足への衝撃を緩和する靴用クッション部材であって、装飾性・ファッション性に優れ、しかもクッション性および強度が従来の靴用クッション部材よりも向上した靴用クッション部材を提供する。【解決手段】弾性材料からなり、裏面が靴底に密着する下側クッションシート１２と、透明な弾性材料からなる上側クッションシート１４と、表面に装飾が施された装飾シート１６とを具備し、下側クッションシートと上側クッションシートとの間に装飾シートが挟持された状態で、下側クッションシートと装飾シート、上側クッションシートと装飾シートがそれぞれ接合されている靴用クッション部材１０とする。【選択図】図３
0003151343.tif 000002
【実用新案登録請求の範囲】
【請求項１】
靴底上に配置される靴用クッション部材であって、
弾性材料からなり、裏面が靴底に密着する下側クッションシートと、
透明な弾性材料からなる上側クッションシートと、
表面に装飾が施された装飾シートとを具備し、
前記下側クッションシートと上側クッションシートとの間に前記装飾シートが挟持された状態で、前記下側クッションシートと装飾シート、前記上側クッションシートと装飾シートがそれぞれ接合されていることを特徴とする靴用クッション部材。
【請求項２】
ほぼ同形状の下側クッションシートと装飾シートが接合されているとともに、上側クッションシートの裏面に形成された凹部に下側クッションシートおよび装飾シートが収容され、下側クッションシートの裏面と上側クッションシートの前記凹部より外方の裏面とが同一平面をなしていることを特徴とする請求項１に記載の靴用クッション部材。
【請求項３】
上側クッションシートの表面に多数の突起が形成されていることを特徴とする請求項１または２に記載の靴用クッション部材。
【請求項４】
下側クッションシートおよび上側クッションシートを形成する弾性材料は熱可塑性エラストマーであることを特徴とする請求項１〜３のいずれか１項に記載の靴用クッション部材。
【請求項５】
靴底のつま先部分に載置されることを特徴とする請求項１〜４のいずれか１項に記載の靴用クッション部材。
【考案の詳細な説明】
【技術分野】
【０００１】
本考案は、靴底上に配置することにより、歩行時などにおける足への衝撃を緩和する靴用クッション部材に関する。
【背景技術】
【０００２】
従来、歩行時などにおける足への衝撃を緩和する靴用クッション部材として、エラストマー、ゴム等の弾性材料を所定の形状に成形し、これを靴底上に配置するものが提案されている（例えば、非特許文献１参照）。この靴用クッション部材は、裏面が靴底に密着するもので、貼り付けに両面テープを必要としないものである。
【先行技術文献】
【非特許文献】
【０００３】
【非特許文献１】http://www.columbus.co.jp/~onlineshop/fs/index.htm
【考案の概要】
【考案が解決しようとする課題】
【０００４】
しかし、非特許文献１の靴用クッション部材は、エラストマー、ゴム等の弾性材料を所定の形状に成形しただけのものであり、装飾性・ファッション性に乏しいものであった。
【０００５】
本考案は、上述した事情に鑑みてなされたもので、靴底上に配置することにより、歩行時などにおける足への衝撃を緩和する靴用クッション部材であって、装飾性・ファッション性に優れ、しかもクッション性および強度が従来の靴用クッション部材よりも向上した靴用クッション部材を提供することを目的とする。
【課題を解決するための手段】
【０００６】
本考案は、前記目的を達成するため、
靴底上に配置される靴用クッション部材であって、
弾性材料からなり、裏面が靴底に密着する下側クッションシートと、
透明な弾性材料からなる上側クッションシートと、
表面に装飾が施された装飾シートとを具備し、
前記下側クッションシートと上側クッションシートとの間に前記装飾シートが挟持された状態で、前記下側クッションシートと装飾シート、前記上側クッションシートと装飾シートがそれぞれ接合されていることを特徴とする靴用クッション部材を提供する。
【０００７】
本発明の靴用クッション部材は、下側クッションシートと上側クッションシートとの間に装飾シートを挟持した状態で、これらのシートを接合したので、透明な上側クッションシートを通して装飾シートの表面の装飾を外部から見ることができ、そのため装飾性・ファッション性に優れている。また、本発明の靴用クッション部材は、クッション層を下側クッションシートおよび上側クッションシートからなる２層構造としたので、従来のクッション層が１層構造の靴用クッション部材に比べ、クッション性および強度が高い。
【０００８】
本発明の好適な態様としては、後述する実施形態に示したように、ほぼ同形状の下側クッションシートと装飾シートが接合されているとともに、上側クッションシートの裏面に形成された凹部に下側クッションシートおよび装飾シートが収容され、下側クッションシートの裏面と上側クッションシートの凹部より外方の裏面とが同一平面をなしている態様を挙げることができる。
【０００９】
本発明において、下側クッションシートおよび上側クッションシートを形成する弾性材料の種類に限定はないが、オレフィン系エラストマー、スチレン系エラストマー等の熱可塑性エラストマーや、シリコーンゴム等のゴムを好適に使用することができる。
【００１０】
本発明において、装飾シートを形成するシートの材料に限定はないが、綿、麻、ウール等の天然繊維からなる織布・不織布、ナイロン等の化学繊維からなる織布・不織布や、プラスチックフィルムなどを好適に使用することができる。
【００１１】
また、本発明において、装飾シートの表面に施す模様に制限はなく、例えば、花模様、水玉模様、幾何学模様等の模様、文字、図形、色彩や、これらの組み合わせからなる任意の装飾を施すことができる。
【００１２】
本発明の靴用クッション部材を装着する靴としては、パンプス、サンダル、ミュール等の靴用クッション部材が外部から見える靴が最適であるが、これに限定されるものではない。
【考案の効果】
【００１３】
本考案の靴用クッション部材は、優れた装飾性・ファッション性を有し、かつクッション性および強度にも優れたものである。
【図面の簡単な説明】
【００１４】
【図１】本考案に係る靴用クッション部材の一実施形態を示す平面図である。
【図２】図１の靴用クッション部材を示す側面図である。
【図３】図１の靴用クッション部材を示す図１Ａ−Ａ線に沿った模式的拡大断面図である。
【考案を実施するための形態】
【００１５】
以下、本考案につき図面を参照してさらに詳しく説明する。図１〜図３は本考案に係る靴用クッション部材の一実施形態を示すもので、図１は平面図、図２は側面図、図３は図１Ａ−Ａ線に沿った模式的拡大断面図である。
【００１６】
本例の靴用クッション部材１０は、靴底のつま先部分に配置されるもので、下側クッションシート１２と、上側クッションシート１４と、下側クッションシート１２と上側クッションシート１４との間に挟持された装飾シート１６とを具備する。
【００１７】
下側クッションシート１２は、透明なオレフィン系エラストマーからなるもので、裏面が平面状で靴底に対する密着力・摩擦力が高く、これにより靴用クッション部材１０を靴底に載置したときに、下側クッションシート１２の裏面が靴底に密着し、靴用クッション部材１０が靴底上でずれることが防止されるようになっている。
【００１８】
上側クッションシート１４は、透明なオレフィン系エラストマーからなるもので、平面形状が下側クッションシート１２とほぼ相似形状で、下側クッションシート１２より若干大きい。上側クッションシート１２の表面には、多数の小さい突起１８が形成されており、これにより高いクッション性および優れた足の滑り止め効果を得ている。また、上側クッションシート１２の裏面には、装飾シート１６を接合した下側クッションシート１２を収容する下側クッションシート１２とほぼ同形状の凹部２０が形成されている。そして、凹部２０に装飾シート１６を接合した下側クッションシート１２を収容することにより、下側クッションシート１２の裏面と、上側クッションシート１２の凹部２０より外方の裏面とが同一平面をなし、これによって靴用クッション部材１０の裏面の靴底に対する密着力・摩擦力がより高くなっている。
【００１９】
装飾シート１６は、綿布の表面に印刷による装飾を施したもので、本例では上記装飾として、黒地２２に多数の白い水玉２４を配した水玉模様を施してある。装飾シート１６は、下側クッションシート１２とほぼ同形状である。
【００２０】
本例の靴用クッション部材１０では、下側クッションシート１２の表面に装飾シート１６が接着剤あるいは熱融着により接合されているとともに、上側クッションシート１４の裏面に装飾シート１６が接着剤あるいは熱融着により接合されており、これにより下側クッションシート１２と上側クッションシート１４との間に装飾シート１６が挟持された状態で、下側クッションシート１２、上側クッションシート１４および装飾シート１６が一体化されている。
【００２１】
本例の靴用クッション部材１０は、次の工程によって作製することができるが、靴用クッション部材１０の製法はこれに限定されるものではない。
（１）下側クッションシート１２の表面に装飾シート１６の裏面を接着剤あるいは熱融着により接合する。
（２）上側クッションシート１４の裏面に下側クッションシート１２に接着した装飾シート１６の表面を接着剤あるいは熱融着により接合する。
【００２２】
本例の靴用クッション部材１０を靴底のつま先部分に配置した場合、靴用クッション部材１０のクッション性により歩行時などにおける足への衝撃が緩和され、かつ、上側クッションシート１４の突起１８の滑り止め効果により足の前ズレが防止されるとともに、装飾シート１６により優れた装飾性・ファッション性が得られるものである。
【００２３】
本発明の靴用クッション部材は上記実施形態に限定されるものではなく、種々の変更が可能である。例えば、下側クッションシートと上側クッションシートをほぼ同形状とするとともに、装飾シートを下側クッションシートおよび上側クッションシートより小さい相似形状とし、下側クッションシートと上側クッションシートとの間に装飾シートを挟持した状態で、下側クッションシートと装飾シート、上側クッションシートと装飾シート、下側クッションシートおよび上側クッションシートの縁部同士をそれぞれ接合してもよい。さらに、下側クッションシート、上側クッションシートおよび装飾シートを全てほぼ同形状とし、これらを互いに接合してもよい。また、前記実施形態の靴用クッション部材はつま先部分に配置するものとしたが、かかと部分などの靴底の他の部分に配置するものとしてもよい。
【符号の説明】
【００２４】
１０  靴用クッション部材
１２  下側クッションシート
１４  上側クッションシート
１６  装飾シート
１８  突起
【図１】
0003151343.tif 000003
【図２】
0003151343.tif 000004
【図３】
0003151343.tif 000005